(57)【要約】      （修正有）【課題】操作が簡単で経済的であり、どのバルブに対しても自動的に調整されるバルブコネクターを提供する。【解決手段】ハウジングはカップリングホール５を有しており、その径はバルブの径に対応する。カップリングホールはバルブの取り付け手段と、異なるサイズのバルブに対処するシール手段３６６とを有している。このシール手段はハウジング３６８に同軸的に搭載されており、バルブの中央線と同軸であるハウジングの中央線とは垂直な少なくとも２面の平行面上に提供されている。シール手段の小径はバルブの大径にほぼ対応しており、カップリングホール５のオープン部８に最も近いシール手段は最大の小径を有しており、最も遠いものは最小の小径を有している。その中間の径はそれらの距離に対応する。このバルブコネクターはバルブに合わせて自動的に調節する機能を有することができ、必要ならばシュレーダバルブの中央コアを起動させる。【選択図】図１４
2005096741.tif 000002
【特許請求の範囲】
【請求項１】
車両タイヤの膨張バルブにカップリングするバルブコネクターであって、
ハウジングと、
前記ハウジング内には、前記膨張バルブとカップリングするための、中心線と外部オープン部を備えた１つのカップリングホールと、
前記膨張バルブを前記カップリングホール内にカップリングする際に位置決めする位置決め手段と、
前記カップリングホールと同軸上に配置され、前記膨張バルブのコアピンに作用する中央スプリングを押圧する起動ピンと、
圧力源（プレッシャーソース）に接続したプレッシャーポートを備えたシリンダー壁を有するシリンダー（３０３）とを備え、
前記起動ピンは、前記膨張バルブが前記位置決め手段により位置決めされる時、膨張バルブが遠方ピンポジションにある時膨張バルブのコアピンを押圧し、膨張バルブが近方ピンポジションにある時膨張バルブのコアピンを解放するために、前記位置決め手段に対して近方ピンポジションと遠方ピンポジション間で移動可能であり、
前記起動ピンはピストン（３０４）とカップリングしており、該ピストンは前記シリンダー（３０３）内で摺動するように取付けられており、近方ピンポジションに対応する近方ピストンポジションと遠方ピンポジションに対応する遠方ピストンポジション間で移動可能であるバルブコネクターにおいて、
前記ピストン（３０４）は前記プレッシャーポートとカップリングホール間のシリンダー（３０３）内に配設され、前記圧力源から該シリンダーに供給されるプレッシャーにより近方ピストンポジションから遠方ピストンポジションまで駆動可能であり、
流れ（フロー）調節手段が、前記圧力源とカップリングホール間に流路をピストンポジションに応じて選択的に遮断または解放するために提供されており、少なくとも前記膨張バルブが前記位置決め手段により位置決めされる時、近方ピストンポジションでは該流路が遮断され、遠方ピストンポジションでは解放されるようになることを特徴とする、
バルブコネクター。
【請求項２】
前記流れ（フロー）調節手段がさらに、前記流路が前記近方および遠方ピストンポジション間の前記コアピンが前記起動ピンで係合される中間ピンポジションに対応する第３の位置で遮断されるようなることを特徴とする請求項１に記載のバルブコネクター。
【請求項３】
前記流れ（フロー）調節手段がシール手段を備え、該シール手段はピストンがそれぞれ近方ピストンポジション、遠方ピストンポジション及び第３ピストンポジションにあるとき前記ピストンのエッジを前記シリンダーの壁に対してシールする手段を備えることを特徴とする請求項１または２に記載のバルブコネクター。
【請求項４】
前記ピストンは前記近方ピストンポジションよりをさらに超えて、ピストンが近方ピストンポジションにある時よりも前記カップリングホールの外部オープン部からより離れている第４ピストンポジションまで移動可能であり、ピストンが第４ピストンポジションにある時には前記シリンダーの壁が圧縮空気が前記ピストンのエッジを超えて流れるようにするチャンネリング手段（３０７）を備えることを特徴とする請求項３に記載のバルブコネクター。
【請求項５】
前記ハウジングが、前記ピストン（３０４）および前記起動ピンの動きを前記カップリングホール（５）の中心軸（４）の方向に案内するピストンコントロール手段（３０８）を備えたことを特徴とする請求項３に記載のバルブコネクター。
【請求項６】
前記ハウジングが、前記ピストンおよび前記起動ピンの動きを前記カップリングホールの中心軸の方向に案内する前記シリンダー壁を備えたことを特徴とする請求項３に記載のバルブコネクター。
【請求項７】
前記シール手段が前記起動ピンの外部表面を前記ピストンコントロール手段（３０８）の表面に対してシールする手段（３１１）を備えたことを特徴とする請求項５に記載のバルブコネクター。
【請求項８】
前記起動ピンに、前記ピストン（３０４）が第４のピストンポジションにある時、前記起動ピンと前記ピストンコントロール手段間に圧縮空気が前記起動ピンを超えて流れるようにするダクト手段（３０６）を備えたことを特徴とする請求項４と５に記載のバルブコネクター。
【請求項９】
前記起動ピンがピストンロッドを貫いて前記ピストンにカップリングしており、前記ピストンとピストンロッド（３１２）を貫いて前記シリンダー（３０３）をピストンロッド（３１２）の表面上のオリフィス（開口部）に接続する前記流路のチャンネル（３０９’、３１０）を備えたバルブコネクターであって、
前記オリフィスとシール手段の相互の位置は、
前記ピストン（３０４）が遠方ピンポジションにある時前記オリフィスは前記シール手段より前記カップリングホールにより近く、それにより前記ピストン（３０４）が遠方ピンポジションにある時前記シリンダー（３０３）とカップリングホール間の前記チャンネル（３０９’、３１０）を貫く流路を解放し、
前記ピストン（３０４）が近方ピンポジションにある時前記シール手段は前記オリフィスよりカップリングホールにより近く、それにより前記ピストン（３０４）が近方ピンポジションにある時前記シリンダー（３０３）とカップリングホール間の前記チャンネル（３０９’、３１０）を貫く流路を遮断することを特徴とする、
請求項３に記載のバルブコネクター。
【請求項１０】
流れ（フロー）調節手段が、前記ピストン（３０４）内の中心に取付けられ、閉じた（クローズド）バルブポジションと開いた（オープン）バルブポジション間で前記ピストンに関連して軸方向に移動可能なバルブエレメントを備えたことを特徴とする請求項１又は２に記載のバルブコネクター。
【請求項１１】
前記バルブエレメント（３１７）がエクステンションスプリング（３１６）によって前記クローズドバルブポジションの方に引っ張られ、また前記バルブエレメントが前記ピストンが遠方ポジションにある時前記バルブエレメントを前記オープンバルブポジションの方へ押すための前記ピストンを偏位して貫いて延びるバルブレバー（３１５）を備えたことを特徴とする請求項１又は２に記載のバルブコネクター。
【請求項１２】
前記起動ピンがピストンロッドを貫いて前記ピストンにカップリングしており、前記バルブエレメントが
前記ピストン（３０４）とピストンロッド（３１２）を貫いて同心円状に延びる中央ピン（３１８）と、
前記バルブエレメント（３１７）をクローズドバルブポジションの方に押す圧縮スプリング（３１６’）とを備えたことを特徴とする
請求項１０に記載のバルブコネクター。
【請求項１３】
前記ハウジング（３、１１０、１９０）が、
１つのカップリングホール（５）と、
前記カップリングホール（５）内には、バルブコネクターを様々なタイプ及び/又はサイズの膨張バルブ上にシールするための膨張バルブシール手段（１２、１３、７９、８０、１９４、３３０、３３２）を備えたバルブコネクターであって、
前記カップリングホールが、軸方向に互いに置き換えられ異なる径を有する少なくとも２つのカップリングホールセクションを含み、大きい径のカップリングホールセクションは小さい径のカップリングホールセクションより前記外部オープン部により近くにあり、
前記膨張バルブシール手段が、前記カップリングホール（５）の中心軸（４）と同軸方向に位置し該中心軸（４）に沿って異なるレベルにある第１のシール部（１３，８０，１９４，３３２）と第２のシール部（１２，７９，２００，３３０）とを備え、前記第１のシール部は前記大きい径のカップリングホールセクションに配設及び配置され、前記第２のシール部は前記小さい径のカップリングホールセクションに配設及び配置されることを特徴とする
請求項１又は，２又は，３又は４に記載のバルブコネクター。
【請求項１４】
固定位置（レストポジション）（８２）と起動位置（アクティベーションポジション）（８３）間で移動可能なレバーアーム（１０２，３１９）と、
前記カップリングホール内に変形可能なブッシング（７８，３６６）とを備え、
前記変形可能なブッシングは、前記レバーアームが前記アクティベーションポジションにある時には変形され、前記レストポジションにある時には変形されないように、前記レバーアームの動きに影響されるようになっており、該変形状態は前記インフレーションバルブがカップリングホール内にカップリングしている時前記変形可能なブッシングの表面上に一時的に形成されるセキュアリングスレッドに対応していることを特徴とする
請求項１３に記載のバルブコネクター。
【請求項１５】
車両タイヤを膨張させるための手動または足による人的操作のポンプであって、該ポンプに接続する請求項１から１４のいずれかに記載のバルブコネクターを備えたことを特徴とするポンプ。
【請求項１６】
車両タイヤをハウジングに接続された圧力源として手動または足による人的操作のポンプで膨張させるための請求項１から１４のいずれかに記載のバルブコネクターの使用方法。
【発明の詳細な説明】
【技術分野】
【０００１】
本発明は請求項１に記載したごときの、車両タイヤの多様なバルブを介したタイヤ膨張用のバルブコネクターに関する。
【背景技術】
【０００２】
説明のため本明細書ではいくつかの基準を利用する。ＩＳＯ基準１０４７５：１９９２（Ｅ）において、車両のタイヤ膨張用スレッド（ネジ：thread）が説明されている。最も一般的なスレッドは５Ｖ２（ＤＩＮ：Ｖｇ５，２）であり、名目直径は５．２ｍｍであり、ピッチは１．０５８ｍｍである。８Ｖ１（ＤＩＮ：Ｖｇ ８）は名目直径が７．７ｍｍであり、ピッチは０．７９４ｍｍである。これらスレッドタイプはダンロップ−ウッズ（Dunlop-Woods）バルブ、スクラベランド（Sclaverand）バルブ、あるいはシュレーダ（Schrader）バルブのタイプに使用される。スクラベランドバルブタイプは通常の車に多用されている。そのバルブコア（valve core）のスプリング式ピンヘッドはタイヤを膨張させている間は空気の通過用に下方に保持されていなければならない。この目的で、バルブコネクターには適当な手段の提供が必要である。さらに、コントラバルブ（contra valve）等の適当な手段を使用して、バルブコアピンを作動させているときに空気の流出を確実に防止させることが必要である。スクラベランドバルブはダンロップ−ウッズバルブと同様に特徴的な性質を有している。すなわち、そのコアピンは空気圧のみによって開放される。スクラベランドバルブの開放に必要な空気圧は１６バール（bar）程度までであり、そのバルブは１６バールまでの圧力の高圧タイヤに対して多用される。ダンロップ−ウッズバルブ用の開放圧は約４バールであり、よって、その開放はさらに容易である。
【０００３】
周知なバルブコネクター（例：ＧＢ−Ｂ−９７７，１３９）はダンロップ−ウッズバルブタイプ及び／又はスクラベランドバルブタイプ、あるいはシュレーダバルブタイプにのみ接続できる。 シュレーダバルブ用の周知なコネクターは、ゴムシリンダーがレバー手段でステムに強くスクイズ（squeeze）されるものであり、ゴムシリンダーは軸方向に圧力がかけられる。その結果、ゴムシリンダーはステムに対して放射状にスクイズされることになる。異なるバルブ径のものに対しては、補助装置（ナット６）をバルブスレッドに締め付け、あるいはバルブスレッドから緩め、前もってその内径を減少あるいは増加させておき、そのバルブコネクターと他のバルブ径との接続を提供しなければならない。ルーズ部材は紛失する恐れがあり、ポンプホースを回せば使用時には緩み、その接続部分は気密状態ではなくなる。このコネクタータイプの弱点は、レバーを利用する際に多大な力を必要とすることである。接続を安定させるには両手の使用が必要である。
【０００４】
英国特許願第３９８０８／７７号は全バルブタイプに利用できるユニバーサルタイプのバルブコネクターを開示している。Ｖ８１に対応するスレッド（４）はブッシング（２６）をも本来のポジションに保持する。そのブッシング（２６）はスクラベランドバルブあるいはダンロップ−ウッズバルブ用の５Ｖ２に対応する内部スレッド（３０）を有している。シュレーダバルブのコアピンは固定ピン（１２）の手段で物理的に開放される。このコネクタータイプの弱点は、５Ｖ２を備えたブッシング（２６）がシュレーダバルブへの接続以前に取り外されなければならないことと、ブッシング（２６）がダンロップ−ウッズバルブまたはスクラベランドバルブへの接続以前に再び搭載されなければならないことである。さらにこの場合、ルーズ部材が使用される。それらは紛失する可能性があり、ポンプホースが回されると使用時には緩み、接続部分が気密状態ではなくなる。
【０００５】
ＤＥ−Ｂ３８１９７７１には２つのカップリングホールを備えたハンドポンプ用のユニバーサルコネクターが開示されている。一方のホールはダンロップ−ウッズバルブとスクラベランドバルブ用であり、他方のホールはコアピンが物理的に開放されるシュレーダバルブ用である。このカップリング方式の弱点は、第１にバルブに固定できないことであり、第２に特定ポジション、すなわち、カップリングホールがほぼ垂直に回されたときのみに利用が可能であり、第３に利用者はどちらのホールを対象のバルブに対して利用すべきかを決定しなければならないことである。
【０００６】
別な広く知られたユニバーサルタイプのバルブは、特許文献には紹介されていないようであるが、前述の英国特許願第３９８０８／７７号の１つと同一タイプのものである。このゴムシリンダーはそれぞれ５Ｖ２と８Ｖ１スレッドにフィットする異なる径と長さを有した２つの隣接部材で成る。それらホールの中央線で軸方向に交互に設置すれば、シュレーダバルブのコアピンを開放することができる手段を搭載することができる。このカップリングの弱点は、部分的には、ダンロップ−ウッズバルブあるいはスクラベランドバルブの接続の安定には両手の使用が要求され、部分的には、ゴムシリンダーをハウジングから取り出し、異なるスレッドタイプのバルブへの接続を可能にするために上下を逆にして、バルブ接続用のカップリング箇所を常にそのカップリングホールのオープン部に最も近接させて配置することが要求されることである。また、シュレーダバルブを物理的に開放するピンは上述の操作において回転されなければならない。このことは通常のユーザーにとって面倒である。なぜなら、バルブにカップリングを接続するためには両手段とも互に適切に配置されなければならないからである。さらに、選択肢が４つもあり、指導書が存在するときのみ正確に選択できる。これら以外にも、前述の手段は紛失したり、緩んだりする。
【０００７】
ＷＯ−Ａ−９２／２２４４８には単一平面に置かれたシール手段が開示されている。ＧＢ−Ｂ−９７７．１３９はレバーカムによって操作されるバルブコネクターを開示している。これら両先行技術に共通しているのは、それらはシュレーダバルブに使用できるだけであり、スクラベランドタイプもダンロップ−ウッズタイプのバルブにもこのタイプのコネクターは利用できない。なぜなら、このシール手段は１つの径、例えばシュレーダバルブのものだけを有するからである。
【発明の開示】
【発明が解決しようとする課題】
【０００８】
タイヤの空気入れは面倒な作業である。特にタイヤが異なるバルブタイプを有しており、１本のポンプしか使用できないときには問題である。たいていの家庭には１本のポンプしか存在しない。よって、本発明の目的は全ての現存するバルブタイプにフィットし、操作が簡単で経済的であり、どのバルブに対しても自動的に調整されるバルブコネクターを提供することである。また、どのポンプにも接続できるものである。
【課題を解決するための手段】
【０００９】
本発明に従えば、これらの問題は請求項１の特徴によって解消する。
【００１０】
圧力源（好適にはハンドポンプあるいはフットポンプ）に接続されたハウジングを有しており、接続されるバルブの径に対応する径を備え、バルブを取り付ける取り付け手段と、異なるサイズのバルブを気密にするシール手段とを備えたカップリングホールとを含んだ車両タイヤの膨張バルブ用のコネクターが利用される。本発明ではそのシール手段はコネクターハウジングに軸方向に搭載され、コネクターハウジングの中央線を有した少なくとも２面の平行面に提供される。使用されるときにはその中央線はバルブの中央線と共軸である。ここで、そのシール手段の内径はバルブの外径にほぼ対応し、使用時にはそこにコネクターが搭載される。コネクターハウジングのカップリングホールのオープン部に最も近接したシール手段は最大の径を有しており、コネクターハウジングのカップリングホールのオープン部から最も離れたシール手段は最小の径を有している。両端間の径はこれらの中間である。接続されるバルブのカップリング箇所は対象のバルブのカップリングホールのシール手段のシール面にポジションされる。このコネクターは１つのみのカップリングホールを有している。よって、この利用は単純であり、指導書が存在せずとも可能であり、ルーズニップルは不要である。従って、常に１操作のみで接続が提供される。
【００１１】
本発明の適切な実施例においては、取り付け手段はハウジングに搭載された回転ブッシングであり、それぞれのバルブにフィットするようにカップリングホールにスレッドを有しており、コネクターハウジングに対してシール手段で気密化され、コネクターハウジングのカップリングホールからは最も離れた箇所に存在する。このコネクターはシール接続状態でバルブ上にポジションさせることが可能である。接続されたホースが回転されてもこのシール接続状態は保たれる。さらに、その搭載は容易である。カップリングの接続及び取り外し操作は片手で充分である。
【００１２】
コネクターハウジングのガスケットシール面の摩耗を減少させ、回転ブッシングを回転させる手段に要する力を減少させるため、さらに、５Ｖ２スレッドを備えたバルブに対する確実な気密を提供するためのさらに適切な実施例では、最も内側のスレッドは５Ｖ２スレッドを備えたブッシングによって提供される。このブッシングは回転カップリングブッシングのテーパミリング（taper milling）内で多少軸方向にスライドし、リブ（rib）のセットによってカップリングブッシングに回転自由にカップリングされている。これらリブはブッシング周囲に提供されており、カップリングブッシングの対応するグルーブに挿入されている。シール手段はステップ加工されたミリング上に提供されている。この構造によって、その取り付け操作と取り外し操作との最中にガスケットシールとカップリングブッシングとの間には摩擦力は発生せず、カップリングブッシングは締め付け時にコネクターハウジングとガスケットシールとをバルブに対して引きつける。締め付けはバルブスレッドのコアに対して提供され、ガスケットシールの内部の減少した径の結果として安定する。
【００１３】
標準化されていないスクラベランドタイプのバルブ、すなわち、スレッドの一部が除去されており、バルブの各側に２本の平行なセカント（secant）を形成しているようなスクラベランドのバルブにバルブコネクターを使用するためには、改良型内部ブッシングが必要である。この内部ブッシングはバルブハウジングのグルーブ内に提供される。このようなスクラベランドタイプのバルブはシール手段に対してシール状態を提供せず、圧縮空気はセカントオープン部から抜け出る。バルブコネクターをバルブに搭載すれば、グルーブ内に提供されることでブッシングはシール状態を提供するであろう。
【００１４】
片手だけで接続あるいは取り外しをするとき、そのコネクターには一時的スレッドが提供される。すなわち、例えばゴムシリンダーをバルブスレッドに対して押し付けることで提供されるものである。その取り付け手段とシール手段は、ハウジング内にポジションされた変形可能な素材で製造されたブッシングを含んだものである。好適にはこのゴム材料はＨ形状で提供される。ピストンはバルブの近方に搭載される。ゴムブッシングは、ゴムブッシングの軸方向の圧縮と解放とを提供する要素を有しており、さらにピストンを作動させるレバーを有している。このレバーの軸は中央線と垂直状態で同心に提供されている。またこのレバーは、中央線と角度ψを形成するポジションから、中央線とほとんど垂直なポジションにまで回転される。レバーのロッキング手段はハウジングの対応するロッキング手段と協調作用する。１例として、レバーのロッキング手段はレバー構造内に組み入れられている。特に優れた実施例においては、リアクションアームが利用されており、これら２ポジション間のレバーアームの移動から発生するリアクション力を吸収する。この構造で取り付けは安定し、操作は楽になる。
【００１５】
コネクターのこの実施例において、片手だけでのコネクターの搭載が可能となる。レバーはレバーを片手で締めるだけでロッキング位置にされ、リアクションアームはコネクターハウジングのホース接続部と平行になる。この操作によって、ピストンはゴムブッシングに対してプレスされ、ゴムブッシングは対象のバルブに対して放射状にスクズされる。
【００１６】
バルブコネクターの改善された実施例においては、バルブのスレッドにスクイズされる部材に近接して、その中央軸とは垂直に、少なくとも１体の外部Ｖ形状の切目がゴムブッシングの周辺に提供される。このような切目を通じ、切目が存在する箇所においてスレッドには最大の放射方向力を発揮するようにゴムブッシングは設定される。このバルブコネクターのレバーアームの操作は軽い。この作用をさらに助け、高圧下においてもバルブコネクターをバルブに安定して取り付けるには、好適な環状リングをこの切目に提供し、発生されたその放射方向力を補強する。
【００１７】
レバーアームを備えた実施例は曲げモーメントのない接続あるいは取り外しを提供する。そのバルブは接続あるいは取り外しによる曲げモーメントを受けない。ほとんど全てのバルブに対して接続が可能である。なぜなら、そのような接続タイプはシュレーダバルブのコアピンを開放することができるからである。それは約５バールから６バールの圧力で開放する。ポンプホースの空気圧は、スクラベランドバルブを備えた高圧タイヤが膨張されるときと同じ圧力である。これは高圧のハンド式あるいはフット式自転車ポンプを使用して最良に達成される。通常の自転車ポンプ（例：最大１０バール）の空気圧では開放できないコアピンタイプも存在する。接続は２手法で容易に実行できる。スクラベランドのコアタイヤをシュレーダのものと交換し、ピンを有していない本発明の実施例をコネクターとして使用しても、本発明の適当な実施例に従ってそのコアをコネクターハウジングの中央線に連続させて、コアの中央ピン（図４Ｂ）を作用させるためにバルブ（図４Ａ）から最も離れたポジションから軸方向にシフトすることで移動される軸方向に配置されたピンで開放させることもできる。この実施例によって、シュレーダバルブを膨張させるのに必要なポンプ力は比較的に小さい。なぜなら、バルブの開放には空気圧は利用されないからである。よって、タイヤの膨張は通常の自転車ポンプで可能である。 受動ポジションから能動ポジションへとハウジング内の作動ピンを自動的にスライドさせる手段として、その作動ピンは、適当な取り付け手段とピストンロッドとが備えられたピストンとして提供される。このピンはシリンダー状のハウジング内でスライドでき、物理的負荷なしでシリンダー壁に対してシールポジションに保持され、バルブコネクターの接続後のピストンのスライドは、圧力源からの圧縮空気によって発生し、ホイールバルブから最も遠いポジションのピストンはシリンダー壁に対して１００％以下でシールする。 このような自動スライド式作動ピンを備えた請求項１記載のバルブコネクターにおいて、バルブを備えたバルブコネクターを圧縮ホースに搭載させることは可能である。このようなホースは自転車店等から入手できる。ユーザーがシール接続に必要な圧力を提供するのでバルブコネクターをバルブに取り付けることは不要である。 そのようなバルブコネクターによって、バルブタイプを特定したりせずともタイヤの膨張は可能である。操作の利便性は大きく改善され、適正な空気圧にまでタイヤを膨張させることは容易となり、ドライブの安全性を高め、タイヤの摩滅を減少させる。同時に、コントラバルブ機能がシュレーダバルブに追加され、適切な空気圧が圧力源から供給されるとそのバルブはシュレーダバルブのコアのみを開放し、タイヤ膨張時に空気はタイヤから抜けることがない。 本発明に従ったバルブコネクターの適当な実施例においては、ピストンには中央で軸方向にスライドするバルブが提供される。これはピストン上部に対抗して閉鎖ポジションにまで弾性的にプレスされる。これにより良好な開放領域が提供され、ピストンガイドの摩擦には影響を受けない。コアの増加したオープン部は圧力源からの圧縮空気の通路をも確保する。
【００１８】
一例として、ピストンの中央軸方向のスライドバルブは、ピストンバルブがピストンを通じて偏心的に伸びるバルブレバーでレバー操作されるという事実と、ピストンがホイールバルブのコアに影響を及ぼさないときピストンとバルブとの間のバネがバルブを閉鎖しておくという事実とによって起動が可能である。
【００１９】
あるいは、そのピストンバルブは、ピストンを通じて軸方向に同心的に伸びるコアピンでレバー操作が可能である。バネはコアピンをピストンから遠方のポジションに導く。よって、コアピンを備えたピストンはその長さを対象のバルブの制限値に自動的に調整するので、そのピストンにＩＳＯ基準による制限範囲に合致した信頼できる機能を提供することが可能となった。
【００２０】
後者の実施例はバルブレバーの安全機能を提供する。なぜなら、それは収納されており、軸方向の力によってのみ影響を受けるからである。また、シュレーダバルブのブリッジはピストンバルブの起動に使用が可能である。さらに、ピストンからのリアクション力は空中に逃げ、機械的構造には作用しない。
【００２１】
シュレーダバルブは最大径の外部スレッド（スレッドタイプ ＩＳＯ ４５７０／３ ８Ｖ１，ＩＳＯ １０４７５：１９９２−１２Ｖ１）を有しており、そのカップリング箇所はカップリングホールのオープン部に最も近い。ダンロップ−ウッズコアとスクラベランドバルブとは同じスレッドタイプを有しており、外部スレッド（スレッドタイプ ＩＳＯ ４５７０／２ ５Ｖ２）の大径は内部スレッドＶ８１の小径よりも小さい。従って、ダンロップ−ウッズコアタイプとスクラベランドバルブタイプは、８Ｖ１スレッドと１２Ｖ１スレッドのカップリング箇所を通過することができる。その結果、５Ｖ２スレッドの接続のカップリング筒所はカップリングホールのオープン部から最も遠い。ダンロップ−ウッズコア（ＤＩＮ基準タイプと、"ボールバルブ"と呼ばれるタイプ）の５Ｖ２スレッドはナット８Ｖ１から充分に突き出ており、コアをステムに保持しており、その大径はブッシングの１２Ｖ１スレッド用の内部スレッドの小径よりも小さい。従って、それぞれ対応するシールリングを有した少なくとも２つのスレッドタイプ用の充分なスペースが提供される。同様なことは本発明のスクイズ（squeezing）接続にも適用できる。このコネクターはスクイズされて一時的なスレッドを形成する。前記の８Ｖ１ナットはシュレーダバルブのカップリング箇所を通過できない。これは、前記ナットの大径がゴムシリンダーの最大ホールの径（外部スレッド８Ｖ１の大径）よりも大きいという事実による。５Ｖ２スレッドのカップリング筒所の開始部はカップリングホールのオープン部から離れている。接続部の負荷は小さいので、内部スレッドの全長を利用する必要はない。一般的に受け入れられている原則は、カップリングされた外部スレッドのサイズの０．８倍である。この原則は高負荷用の物理的構造に基づいており、スレッドがレンチで取り付けられる場合である。よって、５Ｖ２スレッドのカップリング箇所は８Ｖ１スレッドのカップリング箇所の背後とすることが可能である。
【００２２】
本発明は、特許請求の範囲に記載されたごとくの多くの実施例で可能である。添付の図面を利用し、以下において本発明を詳細に説明する。
【発明を実施するための最良の形態】
【００２３】
図１に示す本発明の第１実施例によるコネクターにおいて、ポンプホース１はハウジング３にリングクランプ２によって搭載されている。ハウジング３は、カップリングホール５の中央線４に対して、例えば３０度から６０度の角度で曲げられて提供されている。この実施例のブッシング６には２つのＩＳＯスレッドタイプが提供されている。すなわち、カップリングホール５のオープン部８から最も離れた箇所に提供されている５Ｖ２スレッド７と、上記のオープン部に提供されている８Ｖ１スレッド９とである。接続位置でブッシング６は曲加工されており、グリップフック１０によってハウジング３のグルーブ１１に保持されている。ガスケットシール１２と１３とは５Ｖ２スレッドと８Ｖ１スレッドとに対抗して締め付けられている。ガスケットシール１２は、コネクターがシュレーダバルブに対して使用されるときハウジング３とブッシング６との間でクロッシング（crossing）１４をも締め付けている。ブッシング６の下側にはテーパ１５が提供されている。
【００２４】
図２Ａは第２の実施例を示している。ハウジング１９０にはカップリングブッシング１９１が提供されており、自由に摩擦なくハウジング１９０周囲を回転できる。これは、シール手段１９２とブッシング１９３との間の小スペースｂとコネクターブッシング１９１の存在によって可能となっている。シュレーダバルブ用のガスケットシール１９４は、８Ｖ１スレッド１９５上でコネクターブッシング１９１内を自由に動けるように提供されている。５Ｖ２スレッドを有したブッシング１９３は取り付けられていないが、コネクターブッシング１９１内のテーパミリング（taper milling）２０２内で軸方向に可動である。これら両方ともバルブの中央線と平行にシフトが可能である。シール手段２００は外部部材１９２でハウジング１９０内のステップ加工されたミリング２０１に固定されている。外部部材１９２はハウジング１９０とコネクターブッシング１９１との間でクロッシングをも締め付けている。コネクターブッシング１９１の対応するグルーブ１９７（図２Ｂ）内にフィットする少なくとも２体のリブ（rib）１９６を備えているので、ブッシング１９３はコネクターブッシング１９１と共に回転できる。
【００２５】
ダンロップ−ウッズバルブあるいはスクラベランドバルブが接続されるとき、シール手段２００はバルブスレッドの小径部にて締め付けられる。そのバルブはエッジ１９８で停止し、ダンロップ−ウッズバルブのナットは８Ｖ１スレッドの下側１９９では固定されない。その上部でシール手段２００は放射状にステップ加工されている減少した径を有している。
【００２６】
図３はスクラベランドバルブに使用される別のコネクターを示している。これはＩＳＯ基準のものではない。このようなバルブの場合には、スレッドのいくつかは除去されており、スクラベランドタイプバルブの各側で２本の平行なセカントが形成されている。このようなスクラベランドタイプバルブは、圧縮空気がセカントのオープン部から抜け出そうとするので、上述のバルブコネクターのシール手段３３０に対抗しては締め付けることができない。ブッシング３４０は取り外し可能なロック手段３３９でハウジング３４１に固定されており、中央軸に垂直なハウジング３４１の外部グルーブに到達している。内部シール手段３３０と外部シール手段３３２はカップリングブッシング３３１とハウジング３４１とに隣接してアレンジされる。カップリングブッシング３３１はハウジング３４１に設けられたグルーブに対抗して締め付けられており、この締め付けはそのグルーブにフィットした別なシール手段３３３によって補強されている。バルブコネクターをバルブに搭載するとき、そのカップリングブッシングはバルブハウジングのグルーブ内に提供され、スクラベランドタイプバルブがシール手段３３０に対して締め付けられないとき、空気はカップリングブッシング３３１とシール手段３３３との間のスペース内に移動するであろう。
【００２７】
図４Ａと図４Ｂは図１のコネクターを図示しており、ピン１６１はノブ１６２内にビルトインされており、グリップフック１６３によってハウジング１６４のグルーブ１６０内に保持されている。ノブ１６２には大ピッチを有した内部スレッド１６５が提供されている。ノブ１６２が回転されると、ピン１６１はカップリングホール５のオープン部８の中央線４で軸方向にシフトされる。これは、ピン１６１がカップリングホール３のスリット１６７に提供されたフィン１６６を有しているからである。シーリングは１体のガスケットシール１６８で提供される。ノブ１６２は、例えば弾性素材で製造される。ピン１６１は図４Ａの上部ポジション１８と図４Ｂの下部ポジション３２とで示されている。
【００２８】
図５Ａから図７にかけて図示されているポンプホース１はリングクランプ２によってハウジング３５に接続されている。リングクランプ２の中央線３６と、カップリングホール５のオープン部８の中央線４との間の角度αは、例えば３０度から６０度である。内部スレッドとガスケットシールとを備えたブッシング６は図１に示すものと同じである。ピン４０は、ノブ４３がポジション４４（図５Ａ）からポジション４５（図５Ｂ）及びその逆に回転すると、ポジション１８からポジション３２へとカップリングホール５の中央線４に沿って移動できる。ノブ４３は対応するバルブ４７を囲む内部回転突起４６を備えており、ノブ４３がバルブ４７を捕獲すると、ポジション４４と４５で回動式にロックされる（図６のＸ−Ｘ断面）。シリンダー４８はノブ４３と直接的に接続されている。シリンダー４８内には２本のスリット４９と５０とが提供され、スリット４９はノブ４３の反対側で開いている。ピン４０の２体の丸形突起５１と５２はスリット４９と５０内で互いに反対方向に移動する。中央線４と平行な中央線５３と５４を有したスリット４９と５０はそれぞれの両端にスリット５５と５６、５７と５８を有しており、それぞれは反対側に配置されている。中央線５９と６０及び６１と６２はそれぞれ中央線５３と５４と垂直である。中央線５９、６０、６１及び６２は中央線５３と５４に垂直に提供されている。スリット５５、５６、５７及び５８は半円内に終結し、中央線６３、６４、６５及び６６は突起５１と５２の半径よりもスリット４９と５０の最も近い側からさらに少々離れて提供されている。さらに、突起５１と５２は内部スレッド６７内でカップリングホール５から移動する。スレッドピッチ６７は大きく、回転ノブ４３はポジション４４とポジション４５との間あるいはその逆に約２４０度だけ回転すればよい。ノブ４３が回転すると、スリット４９、５０、５５、５６、５７及び５８はスレッド６７内の突起５１と５２をプッシュする。回転ノブ４３はグリップ６８によってハウジング３５に固定される。グリップ６８はノブの内部突起６９の背後で移動する。上述の構造はハウジング３５の上部に提供されたガスケットシール７０でシール状態となる。ポジション４４とポジション４５でハウジング３５の側部には、接続できるバルブタイプのシンボル７１、７２及び７３が提供される。
【００２９】
図８には本発明の１実施例によるバルブコネクターが一部断面で図示されている。ピストン３０４はその遠方ポジションにあり、シュレーダバルブのコアをプレスして完全オープン状態にしている。このようにすると、圧力源からの空気はシリンダー３０３を通過することができ、例えば、ピストン３０４とピストンロッド３１２内で軸方向にポジションされた中央ブラインドドリル部３０９を通過する。これは例えば、Ｏリング３１１でシールされたピストンコントロール３０８の他方側で終結する枝分かれした放射状ドリル部３１０においてピストンロッド３１２内で終結する。これらドリル部のアレンジで、シュレーダバルブのコアのオープン部用の最大圧力がピストンに提供され、その後にシュレーダバルブのコアがほぼ完全にオープン状態になったとき空気圧用のオープン部が提供される。ピストン３０４それ自体はシリンダー壁３０３に対抗して別のＯリング３０５でシールされ、遠方ポジション上のシュレーダバルブのコアの少なくともストローク分に対応する適当な距離にてシール減少用の手段３０７が提供されている。シュレーダタイプバルブ以外のバルブにこのバルブコネクターが適用されたときにそれが近方側にずらされると、空気がピストン３０４を通過できるようにこの構造が適用される。このポジションで、ピストンロッド３１２は遠方ポジションからもずらされ、ブラインドドリル部３１０はシリンダー壁３０３のシール部分上にポジションされる。ピストンロッド３１２の遠方部分はピストンコントロール３０８内でコンスタントにガイドされ、空気を対象のバルブへと導くため、ピストンロッド３１２には長い空気ダクト３０６が提供され、空気はシール手段３１１を有したシールピストンコントロール３０８を越えてピストンロッド３１２を通過する。
【００３０】
図９は本発明のバルブコネクターの別実施例を一部断面図で示している。ピストン３０４には偏心バルブレバー３１５でレバー操作されたバルブ３１７が提供されている。ピストンバルブ３１７はピストン３０４の上部に配置されており、その下側には中央コアピン３１８を有しており、バルブへの通路にて部分的に放射方向ブラインドドリル部３１３と部分的にＯリング３１４とを有しており、バルブ３１７とピストン３０４との間のシールを提供している。この放射方向ブラインドドリル部３１３は、バルブ３１７から離れてブラインドドリル部３１３からコアピン３１８を通過する中央軸方向ブラインドドリル部３０９'で終結する。他の力が作用していない場合、コアピン３１８の遠方端部にて、延長スプリング３１６はバルブロッド３１２の遠方端部に固定されてバルブ３１７を閉鎖するように引っ張る。ピストン３０４がシリンダー３０３内を移動するとき、ピストン３０４とバルブ３１７とは共動する。バルブ３１７はピストンがその遠方ポジションに近づくと開き、そこでバルブレバー３１５はシリンダー３０３内のターミナル面で停止される。これでピストン３０４とバルブ３１７との共動移動は停止し、まずシール３１４が、そしてそのすぐ後にブラインドドリル部３１３がピストン３０４上でレバー操作される。これでピストン３０４上の圧縮空気はブラインドドリル部３１３と３０９'とを通過して逃げることができる。圧縮空気は完全に開いているシュレーダバルブのコアへと誘導される。
【００３１】
図１０は本発明の別実施例のバルブコネクターを一部断面図で示している。ピストン３０４にはバルブ３１７が提供されており、同心バルブレバーでレバー操作され、コアピンを提供している。ピストン３０４のバルブ３１７は図９と同様な構造を有しており、よって説明を省略する。ピストン３０４はシュレーダバルブのコアへの途中のポジションで示されており、ピストン３０４の上部のバルブ３１７は閉鎖されている。このバルブはコアピン３１８がシュレーダバルブのコアを押し下げるときに開かれる。このバルブはバルブ３１７自体の開放と同時に開かれる。この操作によって、スプリング３１６'も共に縮められ、コアピン３１８は常にシュレーダバルブのコアの異なる限界にまで自己調整が可能になる。図１１にはピストン７６と接続されたポンプホース１が示されている。ピストン７６はリングクランプ２によってハウジング１１０内を移動する。カップリング表面７９（ダンロップ−ウッズバルブとスクラベランドバルブ用）とカップリング表面８０（シュレーダバルブ用）とを備えた弾性体７８はレバー１０２によって可動ピストン７６で圧縮され、上部ポジション８２からポジション８３へと押し下げられ、リングクランプ２の中央線３６と平行になる。レバー１０２は、ハウジング１１０に搭載され、中央軸１０７に対して垂直であり、カップリングホール５のオープン部８の中央線４と交差する軸８５の周囲で回転する。カップリング表面７９はカップリングホール５のオープン部８から距離‘ａ'だけ離れて提供されており、カップリング表面８０はこれに隣接している。弾性手段７８上の領域はピストン７６に対抗して提供されている。ピストン空気供給ホール７５は外部スレッド５Ｖ２の大径よりも多少小さな径を有しており、スクラベランドバルブはその接続部に自然停止部を有している。従って、５Ｖ２スレッド用のカップリング箇所は５Ｖ２スレッド周囲となる。
【００３２】
取り外すにはレバー１０２が解放される。レバー１０２は自動的にレストポジション８２に回転して戻る。なぜなら、弾性体７８は非ストレスポジションに戻るからである。これは、中央軸１０７からの表面１１８の距離がピストン７６の上部１１９のレバー１０２の表面１２０の距離よりも大きいので可能である。レバー１０２の回転は、レバー１０２の平面１２０がピストンの平面１１９で停止するときに停止する。レバー１０２の上部はリングクランプ２の中央線３６と約４５度の角度ψでレストポジション８２となる。カップリングホール５のオープン部８でハウジング１１０は円錐部１５を有している。この円錐部１５はユニバーサルコネクターの搭載を可能にしている。
【００３３】
図１２Ａ、図１２Ｂ及び図１２Ｃは、図１１に示すコネクターと、図５Ａと図５Ｂとに示すピン構造との組み合せによる実施例を図示している。図１２Ａにおいてピン１４２は上部１８のポジションで、図１２Ｂにおいては下部３２のポジションで示されている。ピン１４２の構造及びその作用は図５と同一であるが、シリンダー１３６の下端部でエッジ１３５によってピストン１３８に搭載されていることは異なっている。このピン構造はピストン１３８とシリンダー１３６との間のガスケットシール１３９によって気密となる。回転ノブ１４０にはノブ１４０のポジションを示す線１４１が提供されている。バルブシンボル７１と７２はピン１４２のポジション１８に対応し、シンボル７３はピン１４２のポジション３２に対応する。回転ノブ１４０は、ピストンがバルブ１４４でノブ１４０の凹部１４５（図１２Ｃ）にフィットしたときにバルブシンボル７１、７２及び７３にて固定される（図１２ＡのＡ−Ａ断面と図１２ＢのＢ−Ｂ断面）。ここでもカップリングホール５のオープン部８は中央線４を有している。
【００３４】
図１３は、コネクター用の狭いオープン部を有した車用のホイールに使用される目的で提供された特殊実施例によるユニバーサルコネクターを図示している。このコネクターはバルブ上に取り付けられており、シュレーダバルブは自動式可動ピンで開放される。この使用を簡単にするため、レバーアーム３１９は特殊形状を有しており、リアクションアーム内には圧力ホース用のグルーブが提供されている。
【００３５】
図１４は１実施例によるユニバーサルコネクターを図示しており、カップリングは切目３６１と切目３６１内の環状リング３６２とを有したゴムブッシング３６６を使用してバルブ上にスクイズされている。ここで、シュレーダバルブは自動可動ピンで開放される。これはピストンとして形成され、下部ポジションにて示されている。車両バルブへのモーメントの移動を回避するため、表面３６７を多少円錐形状で提供することが可能である。切目３６１は示される箇所でゴムブッシング３６６を弱め、ゴムブッシングにスレッドを最も便利なところで正確にバルブ上へとスクイズさせる。さらに環状リングが切目に提供されると、バルブスレッドにかかる力は増加する。
【００３６】
図１５は図１４の実施例に類似したユニバーサルコネクターを図示している。この自動式可動ピンは自己調整式であり、シュレーダバルブのコアの性能許容範囲に自動的に調整が可能である。
【００３７】
特徴の有益な組み合わせは以下のいくつかからなっている。
【００３８】
車両タイヤの膨張バルブ用のバルブコネクターであって、部分的に、ハンドポンプあるいはフットポンプ等の圧力源に接続されており、部分的に、接続されるバルブの径に対応する径を有したカップリングホール（５）を有したハウジング（３，１６，１９，３５，７７，１１０，１３４，１５１，１６４，１９０）を含んでおり、前記カップリングホールは、バルブを接続する取り付け手段と、多様なサイズのバルブ用のシール手段とを備えており、該シール手段（１２，１３，８０，１９２，１９４）は、前記ハウジング（３，１６，１９，３５，７７，１１０，１３４，１５１，１６４，１９０）内で共軸的にポジションされ、該ハウジングの中央線と垂直な少なくとも２面の平行レベル上に提供されており、前記シール手段の小径は、接続されるバルブサイズの大径にほぼ対応し、前記ハウジング内の前記カップリングホール（５）のオープン部（８）に最も近いシール手段（１３，８０，１９４）は最大の小径を有しており、前記ハウジング内の前記カップリングホール（５）の前記オープン部（８）から最も遠いシール手段（１２，７９，１９２，２００）は最小の小径を有しており、それらの間に提供された径は両者間の距離に対応させることができる。
【００３９】
前記取り付け手段は、前記ハウジング上に配置され、前記カップリングホール（５）の多様なバルブにマッチするスレッドを備えており、前記ハウジング（３，１６）のカップリングホールから最も遠いシール手段（１２）で該ハウジング方向にシールされている回転ブッシング（６）でありうる。
【００４０】
５Ｖ２スレッドを有したブッシング（１９３）で内部スレッドが提供され、該ブッシング（１９３）は、回転カップリングブッシング（１９１）のテーパミリング（２０２）内で軸方向に多少スライドするように提供され、一連のリブ（１９６）で該カップリングブッシング（１９１）に対して回転自在にカップリングされており、該リブはブッシング（１９３）の周囲に配置されており、前記カップリングブッシング（１９１）の対応するグルーブ（１９７）内にギヤ挿入されており、前記シール手段（２００）はステップ加工されたミリング（２０１）に提供しうる。
【００４１】
内部ブッシング（３３１）はバルブブッシング（３４１）のグルーブ内に提供しうる。
【００４２】
前記ハウジング（１９）の中央線（４）の軸方向に起動ピン（１６１）が提供されており、図４Ａのバルブから最も離れたポジションからの軸方向シフトによって図４Ｂのコアの中央バルブピンヘッドを起動させうる。
【００４３】
前記起動ピンと一体となった制御ノブ（１６２）が提供されて該起動ピン（１６１）を制御しており、該制御ノブ（１６２）は該起動ピンと同軸状態で前記ハウジング（１６４）に回転式に取り付けられており、回転自在であり、図４Ａの非起動ポジションから図４Ｂの起動ポジションにまで軸方向にシフトさせるように該ハウジングにスライド式に取り付けられた前記起動ピン（１６４）の対応するフィード機構と協調するフィード機構を中央に提供しうる。
【００４４】
前記ハウジング（３５）に対して前記起動ピン（４０）と同軸状態で回転式に取り付けられた制御ノブ（４３）を有しており、適当なフィード時に該ハウジングと該起動ピンとの間を延びるシリンダー（４８）が前記制御ノブに可動に取り付けられており、該制御ノブは該シリンダーをシフトすることができ、前記シリンダー（４８）のスリット（４９，５０）の間を延びるようにフィード機構（５１，５２）を利用し、前記起動ピン（４０）を図５Ａの非起動ポジションから図５Ｂの起動ポジションにまで軸方向にシフトさせるように前記ハウジング（３５）内の対応するフィード機構（６７）を利用しうる。
【００４５】
前記ハウジング（３０２）内の起動ピンは、適当な取り付け手段と、シリンダー（３０３）形状のハウジング（３０２）内でスライドできるピストンロッド（３１２）とを備えており、物理的負荷が介在しないときにはそのシリンダー壁に対して気密ポジションに保持され、前記バルブコネクター（３０１）のシュレーダバルブへの接続後には、圧力源からの圧縮空気によって前記ピストンは強制的にスライドされ、ホイールバルブから最も遠いポジションの該ピストン（３０４）はシリンダー壁に対して１００％以下でシールを提供し、前記ピストンロッド（３１２）の遠方部分は空気ダクト（３０６）を有しており、前記シール手段（３１１）でシールされたピストンコントロール（３０８）を越えた箇所で該ピストンロッド（３１２）を越えて通過させうる。
【００４６】
中央で軸方向にスライドするバルブ（３１７）としてピストン（３０４）が提供されており、該ピストン（３０４）の上部方向の閉鎖ポジションに弾性的にプレスしうる。
ピストン式バルブは、ピストン（３０４）とそのピストンロッド（３１２）とを通過して偏心的に延びるバルブレバーでレバー操作され、該ピストン（３０４）が中央コアピン（３０）に作用しないときには、該ピストン（３０４）とそのバルブ（３１７）との間に提供されたスプリングはそのバルブを閉鎖状態に保持しうる。
【００４７】
ピストン（３０４）のバルブ（３１７）は、該ピストン（３０４）を軸方向に通過して同軸的に延びるコアピン（３１８）によってレバー操作され、スプリング（３１６'）によって該ピストン（３０４）から離れたポジションに移動しうる。
【００４８】
前記取り付け手段と前記シール手段とは前記ハウジング（１１０）内に設置されたゴム材料等の変形可能な素材で成るブッシングであり、該ブッシングの軸方向の圧縮と解放とを行うための２端部を有したピストン（７６）は、該ピストン（７６）を起動させるレバー（１０２）と共にバルブと該ブッシングとに隣接して提供されており、該レバー（１０２）の軸（８５）は中央線（４）に対して垂直に延びており、該ピストンの起動のために該レバーは、中央線（４）と角度ψを形成するポジション（８２）から、該中央線とほぼ垂直なポジションにまでシフトされ、その箇所でロッキング手段が前記レバーの対応するロッキング手段と協調作動することができる。
【００４９】
ハウジング（１３４）の中央線（４）の軸方向に起動ピン（１４２）が提供されており、図１２Ａのバルブから最も遠いポジションから軸方向にシフトして図１２Ｂのコアの中央バルブピンヘッドを起動させるものであり、前記レバー（１０２）はＵ形状であって、そのＵ形脚部の自由端は該レバー（１０２）の軸（８５）に固定しうる。
【００５０】
前記起動ピン（１４２）には制御ノブ（１４０）が接続されて該起動ピンを制御しており、該制御ノブ（１４０）は、該起動ピンと同軸状態で前記ピストン（１３８）に回転式に取り付けられており、該起動ピンを図１２Ａの非起動ポジションから図１２Ｂの起動ポジションまで軸方向にシフトするように前記ピストンにシフト可能に取り付けられた前記起動ピン上の対応するフィード機構と協調作用するフィード機構を有しており、前記レバー（１０２）はＵ形状であって、Ｕ形脚部の自由端は該レバーの軸（８５）に固定しうる。
【００５１】
前記制御バルブ（１４０）は前記起動ピン（１４２）と同軸状態で前記ピストン（１３８）に回転式に取り付けられており、適当なガイド手段を利用して該ピストン（１３８）と該起動ピン（１４２）との間を延びるシリンダー（４８）を有しており、該起動ピンは前記制御ノブ（１４０）に可動状態で取り付けられており、該シリンダー内を移動することができ、前記起動ピン（１４２）を非起動ポジション（１８）から起動ポジション（３２）まで軸方向にシフトするため、突起部（５１，５２）で、該シリンダーと前記ピストン（１３８）の対応するフィード手段（６７）のスリット（４９，５０）を通過して延びうる。
【図面の簡単な説明】
【００５２】
【図１】本発明の１実施例によるユニバーサルコネクターの一部断面図であり、（高圧）フットポンプのホースに接続されている状態を示しており、コネクターはバルブに締め付けられ、シュレーダバルブタイプは空気圧で開放される。
【図２Ａ】別実施例による図１のコネクターを一部断面図で示しており、シュレーダ用の５Ｖ２スレッドとガスケットシールとを備えたブッシングは中央線と平行にスライドできる。
【図２Ｂ】図２Ａに示すコネクターのＡ−Ａ断面図である。
【図３】別実施例による図２のコネクターの一部断面図であり、スクラベランドバルブに使用されるが、ＩＳＯ基準には基づいたものではない。
【図４Ａ】別実施例による図１のユニバーサルコネクターの一部断面図であり、カップリングはバルブに締め付けられており、シュレーダバルブはピンを使用して機械的に開放することが可能であり、そのピンフィード機構はスレッドを含んでおり、そのピンはそれぞれの図面に上部ポジションと下部ポジションとで示されている。
【図４Ｂ】別実施例による図１のユニバーサルコネクターの一部断面図であり、カップリングはバルブに締め付けられており、シュレーダバルブはピンを使用して機械的に開放することが可能であり、そのピンフィード機構はスレッドを含んでおり、そのピンはそれぞれの図面に上部ポジションと下部ポジションとで示されている。
【図５Ａ】別実施例による図４Ａと図４Ｂのユニバーサルコネクターの一部断面図であり、そのピンフィード機構には大スレッドピッチが提供されており、そのピンはそれぞれの図面に上部ポジションと下部ポジションとで示されている。
【図５Ｂ】別実施例による図４Ａと図４Ｂのユニバーサルコネクターの一部断面図であり、そのピンフィード機構には大スレッドピッチが提供されており、そのピンはそれぞれの図面に上部ポジションと下部ポジションとで示されている。
【図６】図５Ａ（Ｘ−Ｘ断面）と図５Ｂ（Ｙ−Ｙ断面）のコネクターの詳細を示す断面図である。
【図７】図５Ａと図５Ｂ（Ｚ−Ｚ断面）の実施例のフィードシリンダーの透視斜視図である。
【図８】別実施例による図１のバルブコネクターの一部断面図であり、カップリングはバルブに締め付けられており、シュレーダバルブはピストンであるピンで自動的に開放されるものであり、そのピストンはその遠方ポジションにあり、圧縮空気は制御バルブでもあるピストンを通過することができる。
【図９】別実施例による図８のバルブコネクターの一部断面図であり、そのピストンには偏心バルブレバーでレバー操作されるバルブが提供されている。
【図１０】別実施例によるさらに別のコネクターの一部断面図であり、そのピストンには同心バルブレバーでレバー操作されるバルブが提供されており、そのピストンはシュレーダバルブのコアへの途中のポジションにあり、そこでピストン上部のバルブは閉鎖されている。
【図１１】別実施例によるユニバーサルコネクターの一部断面図であり、（高圧）フットポンプのホースに接続されている状態を示しており、そのコネクターはバルブにスクイズされており、シュレーダバルブは空気圧によって開放が可能である。
【図１２Ａ】別実施例によるユニバーサルコネクターの一部断面図であり、これは図５に示すコネクターの改良型であり、カップリングはフットポンプのホースに接続されており、そのカップリングはバルブにスクイズされており、シュレーダバルブは可動ピンで機械的に開放が可能であり、それぞれの図面で上部ポジションと下部ポジションに存在する。
【図１２Ｂ】別実施例によるユニバーサルコネクターの一部断面図であり、これは図５に示すコネクターの改良型であり、カップリングはフットポンプのホースに接続されており、そのカップリングはバルブにスクイズされており、シュレーダバルブは可動ピンで機械的に開放が可能であり、それぞれの図面で上部ポジションと下部ポジションに存在する。
【図１２Ｃ】図１２ＡのＡ−Ａ断面（図１２ＢのＢ−Ｂ断面）を示す一部断面図であり、さほど重要ではない部分は省略されている。
【図１３】コネクター用の狭オープン部を備えた車両ホイールに対して使用される特殊実施例によるユニバーサルコネクターを示す一部断面図であり、そのコネクターはバルブにスクイズされており、シュレーダバルブは自動式可動ピンで開放される。
【図１４】別実施例によるユニバーサルコネクターの一部断面図であり、カップリングは、切目と、その切目内の環状リングとを備えたゴムブッシングを使用してバルブ上にスクイズされており、シュレーダバルブは自動式可動ピンで開放が可能であり、そのピンはピストンとして提供されており、その下部ポジションで示されている。
【図１５】別実施例によるユニバーサルコネクターの一部断面図であり、カップリングは、切目と、その切目内の環状リングとを備えたゴムブッシングを使用してバルブ上にスクイズされており、シュレーダバルブは自動式可動ピンで開放が可能であり、そのピンは制御バルブを備えたピストンとして提供されており、その下部ポジションで示されている。
【図１】
2005096741.tif 000003
【図２Ａ】
2005096741.tif 000004
【図２Ｂ】
2005096741.tif 000005
【図３】
2005096741.tif 000006
【図４Ａ】
2005096741.tif 000007
【図４Ｂ】
2005096741.tif 000008
【図５Ａ】
2005096741.tif 000009
【図５Ｂ】
2005096741.tif 000010
【図６】
2005096741.tif 000011
【図７】
2005096741.tif 000012
【図８】
2005096741.tif 000013
【図９】
2005096741.tif 000014
【図１０】
2005096741.tif 000015
【図１１】
2005096741.tif 000016
【図１２Ａ】
2005096741.tif 000017
【図１２Ｂ】
2005096741.tif 000018
【図１２Ｃ】
2005096741.tif 000019
【図１３】
2005096741.tif 000020
【図１４】
2005096741.tif 000021
【図１５】
2005096741.tif 000022
【外国語明細書】
2005096741.tif 000023
2005096741.tif 000024
2005096741.tif 000025
2005096741.tif 000026
2005096741.tif 000027
2005096741.tif 000028
2005096741.tif 000029
2005096741.tif 000030
2005096741.tif 000031
2005096741.tif 000032
2005096741.tif 000033
2005096741.tif 000034
2005096741.tif 000035
2005096741.tif 000036
2005096741.tif 000037
2005096741.tif 000038
2005096741.tif 000039
2005096741.tif 000040
2005096741.tif 000041
2005096741.tif 000042
2005096741.tif 000043
2005096741.tif 000044
2005096741.tif 000045
2005096741.tif 000046
2005096741.tif 000047
2005096741.tif 000048
2005096741.tif 000049
2005096741.tif 000050
2005096741.tif 000051
2005096741.tif 000052
2005096741.tif 000053
2005096741.tif 000054
2005096741.tif 000055
2005096741.tif 000056
2005096741.tif 000057
2005096741.tif 000058